(57)【特許請求の範囲】
【請求項１】
入力電流・電圧を絶縁する入力変成器と、
前記変成器二次側の信号を所定のレベルに変換する入力アナログ回路と、
このアナログ信号を所定のディジタル信号に変換するＡ／Ｄ変換回路と、
前記ディジタル信号を入力として所定の演算処理を行なう演算処理回路と、
各回路に電源電圧を供給する電源回路と、
前記演算処理回路の演算処理結果を受けて外部に接点出力を出す出力回路と、
前記出力回路の動作レベルを外部より設定可能とする複数の設定スイッチと、
前記演算処理回路より制御され所定の数値表示を行なう数値表示手段と、
前記数値表示手段の表示内容の種別を切替える表示切替スイッチと、
前記数値表示手段の表示種別を表わす表示種別手段とを備えた保護継電器において、
前記設定スイッチ状態を有効とさせるための設定完了スイッチを設け、
演算処理回路が認識している設定スイッチのポジション状態を、各設定スイッチポジション状態に応じた数値として数値表示手段に常時表示させ、
設定スイッチ状態に変化があった場合、当該変化後の設定スイッチポジション状態に応じた数値を数値表示手段に一定の周期で点滅表示させ、
設定完了スイッチがＯＮ状態となった時点で、変化後の設定スイッチの設定ポジション状態に設定スイッチの状態を更新すると共に、
前記数値表示手段に一定の周期で点滅表示させていた変化後の設定スイッチのポジション状態に応じた数値を、連続表示し、
前記表示切替スイッチの状態がＯＦＦからＯＮに更新される毎に、前記数値表示手段の表示種別を予め定めた表示種別の順番に替えると共に、数値表示手段が該当する表示種別と一致した表示種別手段を点灯し、数値表示手段が該当する表示種別と不一致の表示種別手段を消灯し、
前記表示切替スイッチの状態がＯＦＦからＯＮに更新されない場合であっても、設定スイッチ状態に変化があった場合、当該変化があった設定スイッチの変化後のポジション状態を数値表示手段に表示すると共に、前記数値表示手段が表示種別と一致した表示種別手段を点灯し、数値表示手段が表示種別と不一致の表示種別手段を消灯する
ことを特徴とする保護継電器。
【請求項２】
請求項１記載の保護継電器において、前記数値表示手段及び表示種別手段を常時消灯状態とし、表示切替スイッチがＯＦＦからＯＮに更新された場合、前記数値表示手段及び表示種別手段を所定時間点灯することを特徴とする保護継電器。
【請求項３】
請求項１記載の保護継電器において、前記数値表示手段及び表示種別手段を常時消灯状態とし、設定スイッチ状態に変化があった場合、当該変化があった設定スイッチのポジション状態を数値表示手段に表示すると共に、変化のあった設定スイッチの種別と一致した表示種別手段を所定時間点灯することを特徴とする保護継電器。
【請求項４】
請求項１記載の保護継電器において、前記設定完了スイッチがＯＮ状態となった時点で、数値表示手段に表示中の設定スイッチの状態を更新すると共に、前記数値表示手段に表示されていない設定スイッチの状態を更新しないことを特徴とする保護継電器。
【請求項５】
請求項１記載の保護継電器において、前記表示切替スイッチにより更新される数値表示手段の表示種別に、前記数値表示手段の消灯状態に対応する種別を設けたことを特徴とする保護継電器。
【発明の詳細な説明】
【０００１】
【発明の属する技術分野】
本発明は、電力系統の電圧・電流の大きさ・位相条件により電力系統の事故を検出する保護継電器に係り、特に入力電圧・電流を所定のアナログ変換回路を介した後にＡ／Ｄ変換し、ロジック信号として演算処理回路に取込み、所定の演算処理を行なうことで動作判定する演算処理回路を有する保護継電器に関する。
【０００２】
【従来の技術】
従来の演算処理回路を有する保護継電器は、動作レベル等の設定スイッチが複数ある場合、各設定スイッチの設定状態を数値表示ＬＥＤ、例えば７セグメントＬＥＤにて表示切替えする時は、表示を選択するための表示切替スイッチで行ない、どの設定スイッチを表示中かは表示切替スイッチのポジションで判断していた。
【０００３】
【発明が解決しようとする課題】
上記従来技術によれば、動作レベル等の設定スイッチが複数ある場合、表示切替スイッチのポジションを見間違ったり、表示切替スイッチの不良により、数値表示ＬＥＤ例えば７セグメントＬＥＤに表示切替えしたはずの設定スイッチとは違う設定スイッチの設定状態が表示され、誤った設定により誤動作・誤不動作する可能性がある。
【０００４】
本発明は、上記課題を解決するためになされたものであり、表示切替スイッチのポジションの見間違いや表示切替スイッチの不良により誤った設定による誤動作・誤不動作を発生させず、不良を認識可能とする保護継電器を提供することを目的としている。
【０００５】
【課題を解決するための手段】
本発明の［請求項１］に係る保護継電器は、入力電流・電圧を絶縁する入力変成器と、前記変成器二次側の信号を所定のレベルに変換する入力アナログ回路と、このアナログ信号を所定のディジタル信号に変換するＡ／Ｄ変換回路と、前記ディジタル信号を入力として所定の演算処理を行なう演算処理回路と、各回路に電源電圧を供給する電源回路と、前記演算処理回路の演算処理結果を受けて外部に接点出力を出す出力回路と、前記出力回路の動作レベルを外部より設定可能とする複数の設定スイッチと、前記演算処理回路より制御され所定の数値表示を行なう数値表示手段と、前記数値表示手段の表示内容の種別を切替える表示切替スイッチと、前記数値表示手段の表示種別を表わす表示種別手段とを備えた保護継電器において、前記設定スイッチ状態を有効とさせるための設定完了スイッチを設け、演算処理回路が認識している設定スイッチのポジション状態を、各設定スイッチポジション状態に応じた数値として数値表示手段に常時表示させ、設定スイッチ状態に変化があった場合、当該変化後の設定スイッチポジション状態に応じた数値を数値表示手段に一定の周期で点滅表示させ、設定完了スイッチがＯＮ状態となった時点で、変化後の設定スイッチの設定ポジション状態に設定スイッチの状態を更新すると共に、前記数値表示手段に一定の周期で点滅表示させていた変化後の設定スイッチのポジション状態に応じた数値を、連続表示し、前記表示切替スイッチの状態がＯＦＦからＯＮに更新される毎に、前記数値表示手段の表示種別を予め定めた表示種別の順番に替えると共に、数値表示手段が該当する表示種別と一致した表示種別手段を点灯し、数値表示手段が該当する表示種別と不一致の表示種別手段を消灯し、前記表示切替スイッチの状態がＯＦＦからＯＮに更新されない場合であっても、設定スイッチ状態に変化があった場合、当該変化があった設定スイッチの変化後のポジション状態を数値表示手段に表示すると共に、前記数値表示手段が表示種別と一致した表示種別手段を点灯し、数値表示手段が表示種別と不一致の表示種別手段を消灯することを特徴とする。
【０００６】
本発明の［請求項２］に係る保護継電器は、［請求項１］において、前記数値表示手段及び表示種別手段を常時消灯状態とし、表示切替スイッチがＯＦＦからＯＮに更新された場合、前記数値表示手段及び表示種別手段を所定時間点灯するようにした。
【０００７】
本発明の［請求項３］に係る保護継電器は、［請求項１］において、前記数値表示手段及び表示種別手段を常時消灯状態とし、設定スイッチ状態に変化があった場合、当該変化があった設定スイッチのポジション状態を数値表示手段に表示すると共に、変化のあった設定スイッチの種別と一致した表示種別手段を所定時間点灯するようにした。
【０００９】
本発明の［請求項４］に係る保護継電器は、[請求項１]において、前記設定完了スイッチがＯＮ状態となった時点で、数値表示手段に表示中の設定スイッチの状態を更新すると共に、前記数値表示手段に表示されていない設定スイッチの状態を更新しないようにした。
【００１０】
本発明の［請求項５］に係る保護継電器は、[請求項１]において、前記表示切替スイッチにより更新される数値表示手段の表示種別に、前記数値表示手段の消灯状態に対応する種別を設けるようにした。
【００２０】
【発明の実施の形態】
［第１の実施の形態］
図１は本発明の第１の実施の形態を示す保護継電器のブロック図である。図１において１は入力変成器、２は入力アナログ回路、３はＡ／Ｄ変換回路、４は演算処理回路、５は電源回路、６はリレー回路、７（7-1 ，7-2 ，7-3 ，7-4 ）は設定スイッチ、８は７セグメントＬＥＤ、９は表示切替スイッチ、10（10-1，10-2，10-3，10-4）は例えば表示種別ＬＥＤである。
【００２１】
そして、入力電流・電圧を入力変成器１により絶縁し、入力変成器１の二次側の信号を入力アナログ回路２に入力し、所定レベルのアナログ信号に変換する。入力アナログ回路２より出力されるアナログ信号をＡ／Ｄ変換回路３に入力し、所定のディジタル信号に変換し、このディジタル信号は演算処理回路４に取込まれて、所定の演算処理を実施する。
【００２２】
電源回路５は、入力電流・電圧より保護継電器内部の電源電圧とし、安定化された電圧を各回路に供給する。リレー回路６は、演算処理回路４の演算処理結果を受けて外部に接点出力を出す。設定スイッチ７（設定スイッチ7-1 〜設定スイッチ7-4 ）は、動作レベル等を外部より設定可能とするスイッチであり、スイッチ状態は演算処理回路４に入力される。７セグメントＬＥＤ８は、演算処理回路４より制御され、所定の数値表示を行なう。
【００２３】
表示切替スイッチ９は、７セグメントＬＥＤ８の表示内容の種別を切替えるためのＯＮ／ＯＦＦスイッチであり、スイッチ状態は演算処理回路４に入力される。表示種別ＬＥＤ10（表示種別ＬＥＤ10-1〜表示種別ＬＥＤ10-4）は、演算処理回路４より制御され、７セグメントＬＥＤ８に表示する種別に対応した数あり、７セグメントＬＥＤ８の表示種別を表わすＬＥＤで構成された保護継電器である。上記実施の形態ではＬＥＤ及び７セグメントＬＥＤを用いて説明したが、要は「０〜９」の数字を外部へ表示させることができるものであれば何でもよい（以下の説明も同じである）。
【００２４】
図２は第１の実施の形態の保護継電器のフローチャートである。演算処理回路４で認識している設定スイッチ7-1 から設定スイッチ7-4 の内１つの設定スイッチの設定ポジション状態を、スイッチポジション状態に応じた数値として、７セグメントＬＥＤ８に常時表示し、演算処理回路４が認識している設定スイッチの状態を外部より確認可能とする（ステップＳ21）。
【００２５】
表示種別ＬＥＤ10-1〜表示種別ＬＥＤ10-4は、夫々設定スイッチ7-1 〜設定スイッチ7-4 に対応しており、演算処理回路４で認識している７セグメントＬＥＤ８に表示中の設定スイッチ７の種別に一致した表示種別ＬＥＤ10を点灯させ（ステップＳ22）、７セグメントＬＥＤ８に表示していない設定スイッチの種別に対応する表示種別ＬＥＤ10を消灯する（ステップＳ23）。例えば、設定スイッチ7-1 の状態を７セグメントＬＥＤ８に表示している場合、表示種別ＬＥＤ10-1だけを点灯させる。このように７セグメントＬＥＤ８に表示中の設定スイッチ７の種別が外部より確認可能となる。
【００２６】
この状態より、演算処理回路４が認識している表示切替スイッチ９の状態がＯＦＦからＯＮに更新される毎に（ステップＳ24）、７セグメントＬＥＤ８に表示する設定スイッチ７の種別を、予め定めた表示順番である設定スイッチ7-1 →設定スイッチ7-2 →設定スイッチ7-3 →設定スイッチ7-4 →設定スイッチ7-1 の順番に表示を切替え、全ての設定スイッチ７の状態が外部より確認可能となる。
【００２７】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００２８】
［第２の実施の形態］
図３は第２の実施の形態を示す保護継電器のフローチャートである。なお、本実施の形態によるハード構成は図１と同様であるため説明を省略する。先ず、タイマーセットをし（ステップＳ31）、タイマー値カウントアップかを判断する（ステップＳ32）。演算処理回路４で認識している設定スイッチ7-1 から設定スイッチ7-4 の内１つの設定スイッチの設定ポジション状態を、スイッチポジション状態に応じた数値として、７セグメントＬＥＤ８に所定時間表示し（ステップＳ33）、演算処理回路４が認識している設定スイッチの状態を外部より確認可能とする。
【００２９】
表示種別ＬＥＤ10-1〜表示種別ＬＥＤ10-4は、夫々設定スイッチ7-1 〜設定スイッチ7-4 に対応しており、演算処理回路４で認識している７セグメントＬＥＤ８に表示中の設定スイッチ７の種別に一致した表示種別ＬＥＤ10を所定時間点灯させ（ステップＳ34）、７セグメントＬＥＤ８に表示していない設定スイッチの種別に対応する表示種別ＬＥＤ10を消灯する（ステップＳ35）。例えば、設定スイッチ7-1 の状態を７セグメントＬＥＤ８に表示している場合、表示種別ＬＥＤ10-1だけを所定時間点灯させる。このように７セグメントＬＥＤ８に表示中の設定スイッチ７の種別が外部より確認可能となる。
【００３０】
ここでタイマーカウントし（ステップＳ36）、表示切替スイッチ９がＯＦＦ→ＯＮであるかを判断し（ステップＳ37）、ＯＦＦ→ＯＮ状態でなければ、ステップＳ32に戻って以上の処理を繰り返す。そしてタイマー値がカウントアップであれば（ステップＳ32）、ステップＳ38へ移ってそれまで点灯していた７セグメントＬＥＤ８を消灯する。
【００３１】
この状態より、演算処理回路４が認識している表示切替スイッチ９の状態がＯＦＦからＯＮに更新される毎に、７セグメントＬＥＤ８に表示する設定スイッチ７の種別を、予め定めた表示順番である設定スイッチ7-1 →設定スイッチ7-2 →設定スイッチ7-3 →設定スイッチ7-4 →設定スイッチ7-1 の順番に表示を切替えると共に、７セグメントＬＥＤ８及び表示種別ＬＥＤ10が所定時間経過後に消灯している状態の場合に、７セグメントＬＥＤ８及び表示種別ＬＥＤ８を再度所定時間点灯させ、全ての設定スイッチ７の状態が外部より確認可能となる。
【００３２】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良による誤った設定による誤動作・誤不動作を防止可能である。又、７セグメントＬＥＤ８及び表示種別ＬＥＤ10は所定時間のみ点灯するため、７セグメントＬＥＤ８及び表示種別ＬＥＤ10を点灯するためのエネルギーを削減できる。
【００３３】
［第３の実施の形態］
図４は第３の実施の形態を示す保護継電器のフローチャートである。なお、本実施の形態によるハード構成は図１と同様であるため説明を省略する。先ず、タイマーセットをし（ステップＳ41）、タイマー値カウントアップかを判断する（ステップＳ42）。演算処理回路４で認識している設定スイッチ7-1 から設定スイッチ7-4 の内１つの設定スイッチの設定ポジション状態を、スイッチポジション状態に応じた数値として、７セグメントＬＥＤ８に所定時間表示し（ステップＳ43）、演算処理回路４が認識している設定スイッチの状態を外部より確認可能とする。
【００３４】
表示種別ＬＥＤ10-1〜表示種別ＬＥＤ10-4は、夫々設定スイッチ7-1 〜設定スイッチ7-4 に対応しており、演算処理回路４で認識している７セグメントＬＥＤ８に表示中の設定スイッチ７の種別に一致した表示種別ＬＥＤ10を所定時間点灯させ（ステップＳ44）、７セグメントＬＥＤ８に表示していない設定スイッチの種別に対応する表示種別ＬＥＤ10を消灯する（ステップＳ45）。例えば、設定スイッチ7-1 の状態を７セグメントＬＥＤ８に表示している場合、表示種別ＬＥＤ10-1だけを所定時間点灯させる。このように７セグメントＬＥＤ８に表示中の設定スイッチ７の種別が外部より確認可能となる。
【００３５】
ここでタイマーカウントし（ステップＳ46）、表示切替スイッチ９がＯＦＦ→ＯＮかを判断し（ステップＳ47）、ＯＦＦ→ＯＮでなければステップＳ42へ戻って以上の処理を繰り返す。そしてタイマー値がカウントアップであれば（ステップＳ42）、ステップＳ48へ移って７セグメントＬＥＤ８を消灯する。そして設定スイッチ7-1 〜7-4 のポジション変更したかを判断し（ステップＳ49）、変更していればタイマーセットをし（ステップＳ491 ）、ステップＳ47以下の処理を繰り返し、ステップＳ49にて設定スイッチ7-1 〜7-4 のポジション変更をしていなければ、タイマーセットすることなくステップＳ47以下の処理を繰り返す。
【００３６】
この状態より、演算処理回路４が認識している表示切替スイッチ９の状態がＯＦＦからＯＮに更新される毎に、７セグメントＬＥＤ８に表示する設定スイッチ７の種別を、予め定めた表示順番である設定スイッチ7-1 →設定スイッチ7-2 →設定スイッチ7-3 →設定スイッチ7-4 →設定スイッチ7-1 の順番に表示を切替え、全ての設定スイッチ７の状態が外部より確認可能となる。
【００３７】
ここで、７セグメントＬＥＤ８及び表示種別ＬＥＤ10が所定時間経過後に消灯している状態の場合に、設定スイッチ7-1 〜設定スイッチ7-4 の内任意の設定スイッチ７のポジション状態を変更した場合、７セグメントＬＥＤ８及び表示種別ＬＥＤ10を再度所定時間点灯させる。
【００３８】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良による誤った設定による誤動作・誤不動作を防止可能である。又、７セグメントＬＥＤ８及び表示種別ＬＥＤ10は所定時間のみ点灯するため、７セグメントＬＥＤ８及び表示種別ＬＥＤ10を点灯するためのエネルギーを削減できる。
【００３９】
［第４の実施の形態］
図５は第４の実施の形態を示す保護継電器のフローチャートである。なお、本実施の形態によるハード構成は図１と同様であるため説明を省略する。本実施の形態では設定スイッチ7-4 ，7-3 ，7-2 が夫々ポジションを変更していなければ（ステップＳ51，Ｓ52，Ｓ53）、演算処理回路４で認識している設定スイッチ7-1 から設定スイッチ7-4 の内１つの設定スイッチの設定ポジション状態を、スイッチポジション状態に応じた数値として、７セグメントＬＥＤ８に表示し（ステップＳ54）、演算処理回路４が認識している設定スイッチの状態を外部より確認可能とする。
【００４０】
表示種別ＬＥＤ10-1〜表示種別ＬＥＤ10-4は、夫々設定スイッチ7-1 〜設定スイッチ7-4 に対応しており、演算処理回路４で認識している７セグメントＬＥＤ８に表示中の設定スイッチ７の種別に一致した表示種別ＬＥＤ10を点灯させ（ステップＳ55）、７セグメントＬＥＤ８に表示していない設定スイッチの種別に対応する表示種別ＬＥＤ10を消灯する（ステップＳ56）。例えば、設定スイッチ7-1 の状態を７セグメントＬＥＤ８に表示している場合、表示種別ＬＥＤ10-1だけを点灯させる。このように７セグメントＬＥＤ８に表示中の設定スイッチ７の種別が外部より確認可能となる。
【００４１】
この状態より、演算処理回路４が認識している表示切替スイッチ９の状態がＯＦＦからＯＮに更新される毎に、７セグメントＬＥＤ８に表示する設定スイッチ７の種別を、予め定めた表示順番である設定スイッチ7-1 →設定スイッチ7-2 →設定スイッチ7-3 →設定スイッチ7-4 →設定スイッチ7-1 の順番に表示を切替え、全ての設定スイッチ７の状態が外部より確認可能となる。
【００４２】
ここで、表示切替スイッチ９の状態がＯＦＦからＯＮに更新されない場合でも、設定スイッチ7-1 〜設定スイッチ7-4 の中でスイッチポジション状態に変化があった場合、変化があった設定スイッチ７の変化後のポジション状態を７セグメントＬＥＤ８に表示すると共に、７セグメントＬＥＤ８に表示中の設定スイッチ７の種別に一致した表示種別ＬＥＤ10を点灯し、７セグメントＬＥＤ８に表示していない設定スイッチ７に対応する表示種別ＬＥＤ10を消灯する。
【００４３】
例えば、設定スイッチ7-1 の状態を７セグメントＬＥＤ８に表示中に、設定スイッチ7-3 のポジションを変更した場合、７セグメントＬＥＤ８に設定スイッチ7-3 の変化後のポジション状態を表示すると共に、表示種別ＬＥＤ10-1を消灯させ表示種別ＬＥＤ10-3を点灯させる。そして表示切替スイッチ９がＯＦＦ→ＯＮでなければ前記動作を繰り返す（ステップＳ57）。
【００４４】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００４５】
又、表示切替スイッチ９以外に設定スイッチ７の状態変化を捕らえ、変化があった設定スイッチ７の状態を７セグメントＬＥＤ８に表示することができるため、操作性の向上及び表示切替スイッチの不良による誤った設定を更の防止することが可能である。
【００４６】
［第５の実施の形態］
図６は本発明の第５の実施の形態を示す保護継電器のブロック構成である。図６において図１と同一部分については同一符号を付して説明を省略する。本実施の形態において図１との差異は、表示種別ＬＥＤ10-5を設けて、７セグメントＬＥＤ８の消灯時に新たに設けた消灯用の表示種別ＬＥＤ10-5を点灯させると共に、消灯用以外の表示種別ＬＥＤ10-1〜10-4を消灯するようにしたものである。その他の構成は図１と同様である。
【００４７】
図７は第５の実施の形態の保護継電器のフローチャートである。演算処理回路４で認識している設定スイッチ7-1 から設定スイッチ7-4 の内１つの設定スイッチの設定ポジション状態を、スイッチポジション状態に応じた数値として、７セグメントＬＥＤ８に常時表示し、演算処理回路４が認識している設定スイッチの状態を外部より確認可能とする。
【００４８】
表示種別ＬＥＤ10-1〜表示種別ＬＥＤ10-4は、夫々設定スイッチ7-1 〜設定スイッチ7-4 に対応し、又、表示種別ＬＥＤ10-5は７セグメントＬＥＤ８が消灯中を表わすためのものであり（ステップＳ72）、演算処理回路４で認識している７セグメントＬＥＤ８に表示中の設定スイッチ７の種別及び７セグメントＬＥＤ８の消灯種別に一致した表示種別ＬＥＤ10を点灯させ、７セグメントＬＥＤ８に表示していない設定スイッチの種別及び７セグメントＬＥＤ８の消灯種別に対応する表示種別ＬＥＤ10を消灯する（ステップＳ73）。
【００４９】
例えば、設定スイッチ7-1 の状態を７セグメントＬＥＤ８に表示している場合、表示種別ＬＥＤ10-1だけを点灯させる。このように７セグメントＬＥＤ８に表示中の設定スイッチ７の種別及び７セグメントＬＥＤ８の点灯・消灯の状態が外部より確認可能となる。
【００５０】
この状態より、演算処理回路４が認識している表示切替スイッチ９の状態がＯＦＦからＯＮに更新される毎に、７セグメントＬＥＤ８に表示する設定スイッチ７の種別を、予め定めた表示順番である設定スイッチ7-1 →設定スイッチ7-2 →設定スイッチ7-3 →設定スイッチ7-4 →７セグメントＬＥＤ８消灯→設定スイッチ7-1 の順番に表示を切替え、全ての設定スイッチ７の状態及び７セグメントＬＥＤ８消灯中が外部より確認可能となる。
【００５１】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。又、７セグメントＬＥＤ８を任意に消灯できるため、長時間７セグメントＬＥＤ８に表示をする必要がない場合に、７セグメントＬＥＤ８を表示するためのエネルギーを削減することができる。
【００５２】
［第６の実施の形態］
図８は本発明の第６の実施の形態を示す保護継電器のブロック構成である。図８において図１と同一部分については同一符号を付して説明を省略する。図８において図１との差異は、表示種別ＬＥＤ10-5と10-6とを設けたことである。即ち、本実施の形態では表示種別ＬＥＤ10-5に入力電流値表示を、表示種別ＬＥＤ10-6に入力電圧値表示をさせるものである。要するに演算処理回路４で認識している７セグメントＬＥＤ８に表示中の設定スイッチ７が設定中の表示スイッチの種別と共にその電流値及び電圧値を併せて表示するものであり、その他の構成は図１と同様である。
【００５３】
図９は第６の実施の形態の保護継電器のフローチャートである。演算処理回路４で認識している設定スイッチ7-1 から設定スイッチ7-4 の内１つの設定スイッチの設定ポジション状態を、スイッチポジション状態に応じた数値として、７セグメントＬＥＤ８に常時表示し、演算処理回路４が認識している設定スイッチの状態を外部より確認可能とする。
【００５４】
表示種別ＬＥＤ10-1〜表示種別ＬＥＤ10-4は、夫々設定スイッチ7-1 〜設定スイッチ7-4 に対応し、又、表示種別ＬＥＤ10-5は入力電流値表示、表示種別ＬＥＤ10-6は入力電圧値表示に対応しており、演算処理回路４で認識している７セグメントＬＥＤ８に表示中の設定スイッチ７の種別及び入力電流値，入力電圧値種別に一致した表示種別ＬＥＤ10を点灯させ、７セグメントＬＥＤ８に表示していない設定スイッチの種別及び入力電流値，入力電圧値種別に対応する表示種別ＬＥＤ10を消灯する。例えば、設定スイッチ7-1 の状態を７セグメントＬＥＤ８に表示している場合、表示種別ＬＥＤ10-1だけを点灯させる。このように７セグメントＬＥＤ８に表示中の設定スイッチ７の種別及び入力電流値，入力電圧値の状態が外部より確認可能となる。
【００５５】
この状態より、演算処理回路４が認識している表示切替スイッチ９の状態がＯＦＦからＯＮに更新される毎に、７セグメントＬＥＤ８に表示する設定スイッチ７の種別を、予め定めた表示順番である設定スイッチ7-1 →設定スイッチ7-2 →設定スイッチ7-3 →設定スイッチ7-4 →入力電流値→入力電圧値→設定スイッチ7-1 の順番に表示を切替え、全ての設定スイッチ７と入力電流値，入力電圧値の状態が外部より確認可能となる。
【００５６】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。又、入力電流値及び入力電圧値を外部より確認できるため保護継電器のメンテナンス試験などの時に保護継電器外部に電流計及び電圧計を接続することなく動作・不動作の確認ができるため、作業効率が向上する。
【００５７】
［第７の実施の形態］
図10は本発明の第７の実施の形態を示す保護継電器のブロック構成である。図10において図１と同一部分については同一符号を付して説明を省略する。図10において図１との差異は異常ＬＥＤ11を設けたことであり、表示切替スイッチ９に不良が発生したとき、これを点灯させるものである。その他の構成は図１と同様である。
【００５８】
図11は第７の実施の形態の保護継電器のフローチャートである。図11において設定スイッチ7-1 〜7-4 の表示及び消灯を示すステップＳ21〜Ｓ23までは既に説明した通りであるため、その説明を省略し異なる部分についてのみ説明する。
【００５９】
ここで、表示切替スイッチ９がＯＦＦからＯＮに更新された場合に（ステップＳ111 ）、ＯＮ状態が所定の時間を超えた時は（ステップＳ114 ）、表示切替スイッチ９の状態がＯＮからＯＦＦに復帰しないためであるため表示切替スイッチ９の不良と判断し、異常ＬＥＤ11を点灯させることにより（ステップＳ115 ）、表示切替スイッチ11が異常であることが外部より確認可能となる。
【００６０】
本実施の形態によれば、演算処理回路４で認識している設定スイッチ７の状態を外部より確認でき、表示切替スイッチ９の状態をＯＦＦからＯＮに更新することで（ステップＳ116 ）、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。又、表示切替スイッチ９に不良などが発生した場合には、異常ＬＥＤ11を点灯させることで外部に異常を知らせることが可能となる。
【００６１】
［第８の実施の形態］
図12は本発明の第８の実施の形態の保護継電器のブロック構成である。図12において図１と同一部分については同一符号を付して説明を省略する。図12において図１との差異は設定完了スイッチ12を設けたことであり、設定スイッチ７を有効とするための二重化のためのＯＮ／ＯＦＦスイッチである。
【００６２】
図13は第８の実施の形態の保護継電器のフローチャートである。演算処理回路４で認識している設定スイッチ7-1 から設定スイッチ7-4 の内１つの設定スイッチの設定ポジション状態を、スイッチポジション状態に応じた数値として、７セグメントＬＥＤ８に常時表示し、設定スイッチ７の設定ポジション状態に変化があった場合（ステップＳ131 ）、変化後の設定スイッチ７のポジション状態に応じた数値を７セグメントＬＥＤ８に一定の周期で点滅表示することで（ステップＳ133 ）、設定スイッチ７が変更されたことと、変更後の設定スイッチ７のポジションを外部より確認可能とする。
【００６３】
この状態より、設定完了スイッチ12がＯＮ状態となった時点で（ステップＳ132 ）、演算処理回路４が認識していた設定スイッチ７の設定ポジション状態より、変化後の設定スイッチ７の設定ポジション状態に更新すると共に７セグメントＬＥＤ８に一定の周期で点滅表示させていた設定スイッチ７の変化後のポジション状態に応じた数値を、連続表示する（ステップＳ138 ）。その他のステップＳ134 ，Ｓ135 ，Ｓ136 は既に説明した通りである。
【００６４】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００６５】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。
【００６６】
［第９の実施の形態］
図14は第９の実施の形態を示す保護継電器のフローチャートである。なお、本実施の形態によるハード構成は図12と同様であるため説明を省略する。図14と図13（図12の処理内容を示すフローチャート）との差異は、ステップＳ141 ，Ｓ142 ，Ｓ143 ，Ｓ144 を設け、７セグメントＬＥＤ８及び表示種別ＬＥＤ10は所定時間のみ点灯するようにしたものである。その他は図13と同様である。
【００６７】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００６８】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。そして、７セグメントＬＥＤ８及び表示種別ＬＥＤ10は所定時間のみ点灯するため、７セグメントＬＥＤ８及び表示種別ＬＥＤ10を点灯するためのエネルギーを削減できる。
【００６９】
［第１０の実施の形態］
図15は第１０の実施の形態を示す保護継電器のフローチャートである。なお、本実施の形態においてハード構成は図12と同様であるため説明を省略する。図14と前記図13（図12の処理内容を示すフローチャート）との差異は、７セグメントＬＥＤ８及び表示種別ＬＥＤ10が所定管理経過後に消灯している状態の場合に（ステップＳ144 ）、設定スイッチ7-1 〜設定スイッチ7-4 の内任意の設定スイッチ７のポジション状態を変更した場合に（ステップＳ151 ）、７セグメントＬＥＤ８及び表示種別ＬＥＤ10を再度所定時間（ステップＤ152 ）点灯させるようにしたものであり、その他は図13の処理と同様である。
【００７０】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００７１】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。そして、７セグメントＬＥＤ８及び表示種別ＬＥＤ10は所定時間のみ点灯するため、７セグメントＬＥＤ８及び表示種別ＬＥＤ10を点灯するためのエネルギーを削減できる。
【００７２】
［第１１の実施の形態］
図16は第１１の実施の形態を示す保護継電器のフローチャートである。なお、本実施の形態においてハード構成は図12と同様であるため説明を省略する。図16と図13との差異は、ステップＳ131 の前段にステップＳ161 ，Ｓ162 ，Ｓ163 を設けたことである。ここでステップＳ161 は設定スイッチ7-4 ポジション変更したか、ステップＳ162 は設定スイッチ7-3 ポジション変更したか、ステップＳ163 は設定スイッチ7-2 ポジション変更したかを夫々判断する処理である。その他の処理内容は図13と同様である。
【００７３】
即ち、表示切替スイッチ９の状態がＯＦＦからＯＮに更新されない場合でも（ステップＤ136 ）、設定スイッチ7-1 〜設定スイッチ7-4 の中でスイッチポジション状態に変化があった場合（ステップＳ161 ，Ｓ162 ，Ｓ163 ）、変化があった設定スイッチ７の変化後のポジション状態を７セグメントＬＥＤ８に表示すると共に、７セグメントＬＥＤ８に表示中の設定スイッチ７の種別に一致した表示種別ＬＥＤ10を点灯し、７セグメントＬＥＤ８に表示していない設定スイッチ７に対応する表示種別ＬＥＤ10を消灯する。
【００７４】
例えば、設定スイッチ7-1 の状態を７セグメントＬＥＤ８に表示中に、設定スイッチ7-3 のポジションを変更した場合、７セグメントＬＥＤ８に設定スイッチ7-3 の変化後のポジション状態を表示すると共に、表示種別ＬＥＤ10-1を消灯させ表示種別ＬＥＤ10-3を点灯させる。
【００７５】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００７６】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。
【００７７】
そして、表示切替スイッチ９以外に設定スイッチ７の状態変化を捕らえ、変化があった設定スイッチ７の状態を７セグメントＬＥＤ８に表示することができるため、操作性の向上及び表示切替スイッチの不良による誤った設定を更の防止することが可能である。
【００７８】
［第１２の実施の形態］
図17は第１２の実施の形態を示す保護継電器のフローチャートである。なお、本実施の形態においてハード構成は図12と同様であるため説明を省略する。図17と図13との差異は、図13にあるステップＳ137 に代えて図17ではステップＳ171 を設けたことである。即ち、本実施の形態ではスイッチポジションの更新は、７セグメントＬＥＤにより外部確認している設定スイッチのみを更新するようにしたものである。その他の処理内容は図13と同様である。
【００７９】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００８０】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。更に、７セグメントＬＥＤ８により外部確認している設定スイッチ７のみのスイッチポジションを更新するため、設定スイッチ７の不良による誤設定を更に防止可能となる。
【００８１】
［第１３の実施の形態］
図18は本発明の第１３の実施の形態を示す保護継電器のブロック構成である。図18において図12と同一部分については同一符号を付して説明を省略する。図18において図12との差異は、表示種別ＬＥＤ10-5を設けたことである。そして表示種別ＬＥＤ10-5は７セグメントＬＥＤ８が消灯中を表わすためのものである。その他の構成は図12と同様である。
【００８２】
図19は第１３の実施の形態の保護継電器のフローチャートである。表示種別ＬＥＤ10-1〜表示種別ＬＥＤ10-4は、夫々設定スイッチ7-1 〜設定スイッチ7-4 に対応し、又、表示種別ＬＥＤ10-5は７セグメントＬＥＤ８が消灯中を表わすためのものであり、演算処理回路４で認識している７セグメントＬＥＤ８に表示中の設定スイッチ７の種別及び７セグメントＬＥＤ８の消灯種別に一致した表示種別ＬＥＤ10を点灯させ、７セグメントＬＥＤ８に表示していない設定スイッチの種別及び７セグメントＬＥＤ８の消灯種別に対応する表示種別ＬＥＤ10を消灯する。
【００８３】
図19のフローチャートにおいて図13（図12のフローチャート）との差異は、図13のフローチャートにステップＳ191 ，Ｓ192 ，Ｓ193 ，Ｓ194 を付加しただけのものであり、その他は図13と同様である。例えば、設定スイッチ7-1 の状態を７セグメントＬＥＤ８に表示している場合、表示種別ＬＥＤ10-1だけを点灯させる。このように７セグメントＬＥＤ８に表示中の設定スイッチ７の種別及び７セグメントＬＥＤ８の点灯・消灯の状態が外部より確認可能となる。
【００８４】
ここで、演算処理回路４が認識している表示切替スイッチ９の状態がＯＦＦからＯＮに更新される毎に、７セグメントＬＥＤ８に表示する設定スイッチ７の種別を、予め定めた表示順番である設定スイッチ7-1 →設定スイッチ7-2 →設定スイッチ7-3 →設定スイッチ7-4 →７セグメントＬＥＤ８消灯→設定スイッチ7-1 の順番に表示を切替え、全ての設定スイッチ７及び７セグメントＬＥＤ８消灯の状態が外部より確認可能となる。
【００８５】
なお、７セグメントＬＥＤ８が消灯していれば（ステップＳ191 ）、表示種別ＬＥＤ10-5を点灯し（ステップＳ192 ）、７セグメントＬＥＤ消灯用以外の表示種別ＬＥＤ10-1〜10-4を消灯する（ステップＳ193 ）。
【００８６】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００８７】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。そして、７セグメントＬＥＤ８を任意に消灯できるため、長時間７セグメントＬＥＤ８に表示をする必要がない場合に、７セグメントＬＥＤ８を表示するためのエネルギーを削減することができる。
【００８８】
［第１４の実施の形態］
図20は本発明の第１４の実施の形態を示す保護継電器のブロック構成である。図20において図12と同一部分については同一符号を付して説明を省略する。図20において図18との差異は、表示種別ＬＥＤ10-5と10-6を設けたことである。そして表示種別ＬＥＤ10-5には入力電流値表示を、又、表示種別ＬＥＤ10-6には入力電圧値表示を夫々させるようにしたものである。その他の構成は図12と同様である。
【００８９】
図21は第１４の実施の形態の保護継電器のフローチャートである。表示種別ＬＥＤ10-1〜表示種別ＬＥＤ10-4は、夫々設定スイッチ7-1 〜設定スイッチ7-4 に対応し、又、表示種別ＬＥＤ10-5は入力電流値表示、表示種別ＬＥＤ10-6は入力電圧値表示に対応しており、演算処理回路４で認識している７セグメントＬＥＤ８に表示中の設定スイッチ７の種別及び入力電流値，入力電圧値種別に一致した表示種別ＬＥＤ10を点灯させ、７セグメントＬＥＤ８に表示していない設定スイッチの種別及び入力電流値，入力電圧値種別に対応する表示種別ＬＥＤ10を消灯する。
【００９０】
図21のフローチャートにおいて図13（図12のフローチャート）との差異は、図13のフローチャートにステップＳ211 ，Ｓ212 ，Ｓ213 ，Ｓ214 からなる入力電流値表示の処理と、更にこれに続いた入力電圧値表示の処理（前記入力電流値表示と同じ、ただし入力電流値のところを入力電圧値としたものであって、手順は全く同じもの）を追加している。
【００９１】
例えば、設定スイッチ7-1 の状態を７セグメントＬＥＤ８に表示している場合、表示種別ＬＥＤ10-1だけを点灯させる。このように７セグメントＬＥＤ８に表示中の設定スイッチ７の種別及び入力電流値，入力電圧値の状態が外部より確認可能となる。ここで、演算処理回路４が認識している表示切替スイッチ９の状態がＯＦＦからＯＮに更新される毎に、７セグメントＬＥＤ８に表示する設定スイッチ７及び入力電流値，入力電圧値の種別を、予め定めた表示順番である設定スイッチ7-1 →設定スイッチ7-2 →設定スイッチ7-3 →設定スイッチ7-4 →入力電流値→入力電圧値→設定スイッチ7-1 の順番に表示を切替え、全ての設定スイッチ７及び入力電流値，入力電圧値の状態が外部より確認可能となる。
【００９２】
ここで上記したことを整理すると、設定スイッチ7-1 の表示の終了から始まって、→設定スイッチ7-2 →設定スイッチ7-3 →設定スイッチ7-4 の表示の終了までが終了すると、入力電流値表示（ステップＳ211 ，Ｓ212 ，Ｓ213 ，Ｓ214 ）の後に前記同様の入力電圧値表示（前記同様の処理）があって最初の処理に戻ることになる。
【００９３】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００９４】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。更に、入力電流値及び入力電圧値を外部より確認できるため保護継電器のメンテナンス試験などの時に保護継電器外部に電流計及び電圧計を接続することなく動作・不動作の確認ができるため、作業効率が向上する。
【００９５】
［第１５の実施の形態］
図22は本発明の第１４の実施の形態を示す保護継電器のブロック構成である。図22において図12と同一部分については同一符号を付して説明を省略する。図22において図12との差異は、異常ＬＥＤ11を設けたことである。そして異常ＬＥＤ11は表示切替スイッチ９の異常を表示するものである。その他の構成は図12と同様である。
【００９６】
図23は第１５の実施の形態の保護継電器のフローチャートである。図23においてステップＳ131 〜ステップＳ138 の処理は図13と同様である。又、表示切替スイッチ９がＯＦＦからＯＮに更新された場合に（ステップＳ136 ）、ＯＮ状態が所定の時間を超えた時（ステップＳ232 ）、表示切替スイッチ９の状態がＯＮからＯＦＦに復帰しないため表示切替スイッチ９の不良と判断し、異常ＬＥＤ11を点灯（ステップＳ233 ）させることにより、表示切替スイッチ９が異常であることが外部より確認可能となる。
【００９７】
本実施の形態によれば、演算処理回路４で認識している設定スイッチ７の状態を外部より確認でき、表示切替スイッチ９の状態をＯＦＦからＯＮに更新することで、７セグメントＬＥＤ８に表示する設定スイッチ７の種別を切替えることができると共に、７セグメントＬＥＤ８に表示中の設定スイッチ７の種別に一致する表示種別ＬＥＤ10を点灯させるため、表示切替スイッチのポジションの見間違いや表示切替スイッチの不良により誤った設定による誤動作・誤不動作を防止可能である。
【００９８】
又、設定スイッチ７が変更されれば、変更された設定スイッチ７のポジション状態も含め外部より変更されたことが確認でき、設定完了スイッチ12により設定更新を行なうため、誤った設定変更を防ぐことができ、設定スイッチ７の不良により誤設定されることがなく、設定スイッチ７の不良などにより誤動作・誤不動作を防止可能となる。更に、表示切替スイッチ９に不良などが発生した場合には、異常ＬＥＤ11を点灯させることで外部に異常を知らせることが可能となる。
【００９９】
【発明の効果】
以上説明したように、本発明によれば動作レベルなどの設定スイッチの状態を外部より確認でき、表示切替スイッチの状態をＯＦＦからＯＮに更新することで、表示手段に表示する設定スイッチの種別を切替えることができると共に、表示手段に表示中の設定スイッチの種別に一致する表示種別表示手段を点灯させるため、表示切替スイッチのポジションの見間違いや表示切替スイッチの不良による誤った設定による誤動作・誤不動作を防止可能とすることができる。
【図面の簡単な説明】
【図１】本発明の第１の実施の形態を示す保護継電器のシステム構成図。
【図２】第１の実施の形態の処理内容を示すフローチャート。
【図３】第２の実施の形態の処理内容を示すフローチャート。
【図４】第３の実施の形態の処理内容を示すフローチャート。
【図５】第４の実施の形態の処理内容を示すフローチャート。
【図６】本発明の第５の実施の形態を示す保護継電器のシステム構成図。
【図７】第５の実施の形態の処理内容を示すフローチャート。
【図８】本発明の第６の実施の形態を示す保護継電器のシステム構成図。
【図９】第６の実施の形態の処理内容を示すフローチャート。
【図１０】本発明の第７の実施の形態を示す保護継電器のシステム構成図。
【図１１】第７の実施の形態の処理内容を示すフローチャート。
【図１２】本発明の第８の実施の形態を示す保護継電器のシステム構成図。
【図１３】第８の実施の形態の処理内容を示すフローチャート。
【図１４】第９の実施の形態の処理内容を示すフローチャート。
【図１５】第１０の実施の形態の処理内容を示すフローチャート。
【図１６】第１１の実施の形態の処理内容を示すフローチャート。
【図１７】第１２の実施の形態の処理内容を示すフローチャート。
【図１８】本発明の第１３の実施の形態を示す保護継電器のシステム構成図。
【図１９】第１３の実施の形態の処理内容を示すフローチャート。
【図２０】本発明の第１４の実施の形態を示す保護継電器のシステム構成図。
【図２１】第１４の実施の形態の処理内容を示すフローチャート。
【図２２】本発明の第１５の実施の形態を示す保護継電器のシステム構成図。
【図２３】第１５の実施の形態の処理内容を示すフローチャート。
【符号の説明】
１        入力変成器
２        入力アナログ変換回路
３        Ａ／Ｄ変換回路
４        演算処理回路
５        電源回路
６        リレー回路
7-1 〜7-4     設定スイッチ
８        ７セグメントＬＥＤ
９        表示切替スイッチ
10-1〜10-4    表示種別ＬＥＤ
11        異常ＬＥＤ
12        設定完了スイッチ
【図１】
0004118422.tif 000002
【図２】
0004118422.tif 000003
【図３】
0004118422.tif 000004
【図４】
0004118422.tif 000005
【図５】
0004118422.tif 000006
【図６】
0004118422.tif 000007
【図７】
0004118422.tif 000008
【図８】
0004118422.tif 000009
【図９】
0004118422.tif 000010
【図１０】
0004118422.tif 000011
【図１１】
0004118422.tif 000012
【図１２】
0004118422.tif 000013
【図１３】
0004118422.tif 000014
【図１４】
0004118422.tif 000015
【図１５】
0004118422.tif 000016
【図１６】
0004118422.tif 000017
【図１７】
0004118422.tif 000018
【図１８】
0004118422.tif 000019
【図１９】
0004118422.tif 000020
【図２０】
0004118422.tif 000021
【図２１】
0004118422.tif 000022
【図２２】
0004118422.tif 000023
【図２３】
0004118422.tif 000024